(57)【特許請求の範囲】
【請求項１】
レンズ鏡筒内に着脱自在に装着される差込式フィルターホルダーを操作する操作手段を有するレンズ鏡筒において、該差込式フィルターホルダーにフィルター板が嵌め込まれたフィルター枠を回転自在に保持するフィルター保持部材を設けるとともに、該フィルター保持部材を連結ギヤを介して、回転させるフィルター操作リングを鏡筒全周囲に回転自在に設けたことを特徴とするフィルター操作装置を有するレンズ鏡筒。
【請求項２】
レンズ鏡筒内に着脱自在に装着される差込式フィルターホルダーを操作する操作手段を有するレンズ鏡筒において、該差込式フィルターホルダーにフィルター板が嵌め込まれたフィルター枠を回転自在に保持するフィルター保持部材と鏡筒全周囲に設けたフィルター操作リングを連結する連結ギヤを段ギヤで構成したことを特徴とする請求項１に記載のフィルター操作装置を有するレンズ鏡筒。
【発明の詳細な説明】
【０００１】
【発明の属する技術分野】
本発明は望遠レンズの特に焦点距離の長いレンズ及びＦ値の明るいレンズで採用されている後部差込式フィルター装置を有するレンズ鏡筒に関し、更に詳しくは偏光フィルターを後部差込式フィルターとして使用することのできるフィルター操作装置を有するレンズ鏡筒に関する。
【０００２】
【従来の技術】
カメラの交換レンズにおいて、水面等の反射光を除いて撮影するために偏光フィルターを使用する場合、偏光フィルターは反射光の偏光に合わせて装着しなければならず、従来から知られている偏光フィルターの使用方法は、外部から回転させて使用するため、使用するレンズの先端のアクセサリースクリューにねじ込んで使用する構成で、レンズ全長が長大なものでもピント合わせ機構が前群回転式の物でもレンズ先端のアクセサリースクリューに取り付けて、偏光フィルターを直接回転させて使用していた。
【０００３】
フィルターの装着で望遠レンズのような大口径レンズにおいては、実開昭５８−１５９５２４号や実開昭５８−１７２９２１号（実公平３−４２４２４）等によって提案されているレンズ鏡筒に対して着脱自在な差込式フィルターが使用されている。しかし、従来この種の差込式フィルターにおいては、レンズ鏡筒にフィルターを装着した状態で回転を必要とする前述の偏光フィルターは使用できなかった。そのため一般には偏光フィルターを使用するときは、従来と同様に一眼レフカメラのファインダー像を観察しながら撮影者が自分の意図した像を見つけだし使用するが、レンズの全長の長い望遠レンズではファインダーを観察しながらでは、レンズ先端まで手が届かない物や、ピント合わせが機構が前群回転式の物ではピント合わせをするとフィルターも回転してしまうため使用しにくかった。そこで、フィルター枠に偏光フィルター板が保持され、フィルターホルダーにフィルター枠が回転可能に支持され、フィルターホルダーに設けた操作部材とギヤ、ベルト、ローラー等の伝達機構でフィルター枠を回転させる提案が実開昭５９−９５３２８号、実開昭６０−１８６４３０号、実開昭６４−１５２０８公報等によってされている。
【０００４】
【発明が解決しようとする課題】
しかしながら、前述の提案はフィルターホルダーにフィルターの操作部を設けたり、レンズ鏡筒本体にフィルター操作部を設けているが、いずれも操作部が小さく、操作部を小刻みに何回も操作しないと目的の操作量が得られず、操作性が充分とはいえなかった。また、レンズの先端に偏光フィルターを取り付けて回転させて操作したときの操作感と感触が異なるため偏光フィルターの回転量の調節が難しいという問題があった。
【０００５】
【課題を解決するための手段】
レンズ鏡筒内に着脱自在に装着される差込式フィルターホルダーにフィルター板が嵌め込まれたフィルター枠を保持するフィルター保持部材を設け、該フィルター保持部材を回転自在とし、フィルター保持部材を連結ギヤを介して、回転させるフィルター操作リングをレンズ鏡筒の外周部に回転自在に設けるとで解決した。また、連結ギヤを段ギヤにすることでギヤ比の調整でフィルター操作リングの回転とフィルターの回転量の感触を調節できるようにした。
【０００６】
【実施例】
以下、本発明のレンズ鏡筒を図示の実施例により偏光フィルターを装着して説明する。図１は差込式フィルターホルダーが装着されるレンズ鏡筒である。１０がフィルター操作装置を有するレンズ鏡筒本体で１１がフィルター操作リング、２０が差込式フィルターホルダーである。差込式フィルターホルダー２０はレンズ鏡筒本体１０に設けた不図示の開口部に差し込まれることにより、レンズ鏡筒本体１０に装着されている。
【０００７】
この差込式フィルターホルダー２０は図２Ａ、Ｂの拡大正面図及びその断面図で示すように、偏光フィルター板２２を嵌め込んだフィルター枠２３を回転自在に支持するフィルター保持リング２１で構成されている。また、フィルター保持リング２１の外周部には外歯車２１ａが一体的に設けてある。
【０００８】
一方、図３はレンズ鏡筒本体１０に設けられたフィルター操作リング１１付近を示す鏡筒断面図で、１１がフィルター操作リング、１２が連結ギヤである。連結ギヤ１２の外周には外歯車１２ａが設けられ、フィルター操作リング１１の内周に設けられた内歯車１１ａと歯合しており、図４の断面図に示すように連結ギヤ軸１２ｂによってフィルターホルダー押え１３に回転自在に取り付けられている。これにより、フィルター操作リング１１を回転操作することによって内歯車１１ａに歯合した連結ギヤ１２が連結ギヤ軸１２ｂを中心に回転する。この連結ギヤ１２の回転により連結ギヤ１２に噛み合っているフィルター保持リング２１の外歯車２１ａが作動し、これによりフィルター保持リング２１が回転し、フィルター枠２３に嵌め込まれた偏光フィルター板２２が回転し、偏光フィルターの作用を果たす。
【０００９】
図５は前述の連結ギヤ１２を段ギヤで構成した連結ギヤを示す連結ギヤ付近の断面図である。５０が段ギヤで構成した連結ギヤで第１外歯車５１と第２外歯車５２を有している。第１外歯車５１はフィルター操作リング１１に設けた内歯車１１ａと噛み合い、第２外歯車５２はフィルター保持リング２１に設けた外歯車２１ａと噛み合い、フィルター操作リング１１の回転を連結ギヤ５０を介してフィルター保持リング２１に伝達する。この連結ギヤ５０に設けた第１外歯車５１と第２外歯車５２のギヤ比を調節することによりフィルター操作リング１１の回転量とフィルター保持リングの回転量を調節でき、フィルター操作の操作感触を設定できる。
【００１０】
次に、以上のように構成された、フィルター操作部材を有するレンズ鏡筒の動作について説明する。
【００１１】
先ず、図２に示す差込式フィルターホルダー２０のフィルター保持リング２１に偏光フィルターをねじ込む。この時、フィルター保持リング２１は回転自在であるのでフィルター保持リング２１に設けたローレット面２１ｂを押さえて偏光フィルターをねじ込む。次に、図１の状態に差込式フィルターホルダー２０をレンズ鏡筒本体１０に装着する。そして、偏光フィルター板２２をフィルター枠２３を介して回転させるには、レンズ鏡筒本体１０の外周部に設けたフィルター操作リング１１を回転すれば良い。フィルター操作リング１１を回転すると図３に示すように連結ギヤ１２が回転し、連結ギヤ１２に歯合したフィルター保持リング２１が回転し、フィルター保持リング２１にねじ込まれたフィルター枠２３が回転し、偏光フィルター板２２を回転させることができる。これにより、水面等の反射光を除いて（または、反射光を意図的に多くして）撮影するために偏光フィルター板２２を反射光の偏光に合わせることができる。
【００１２】
【発明の効果】
以上説明したように、本発明においてはレンズ鏡筒に差し込まれることによって装着されるフィルターを保持する保持部材がフィルターホルダーに回転自在に保持されるようにし、レンズ鏡筒外周部に操作部材を設け、さらに操作部材の伝達手段を設けたのでフィルターホルダーを差し込んだ状態でフィルターを外部に装着したときの感触で回転させることができる。
【図面の簡単な説明】
【図１】差込式フィルターホルダーが装着されるレンズ鏡筒である。
【図２】図１に示す差込式フィルターホルダーの拡大正面図及びその断面図である。
【図３】フィルター操作リング付近を示す鏡筒断面図である。
【図４】図３のＡ−Ａ断面図である。
【図５】段ギヤで構成した連結ギヤ付近を示す断面図である。
【符号の説明】
１０  レンズ鏡筒本体
１１  フィルター操作リング
１１ａ  内歯車
１２  連結ギヤ
１２ａ  外歯車
１２ｂ  連結ギヤ軸
１３  フィルターホルダー押え
２０  差込式フィルターホルダー
２１  フィルター保持リング
２１ａ  外歯車
２１ｂ  ローレット面
２２  偏光フィルター板
２３  フィルター枠
５０  連結ギヤ
５１  第１外歯車
５２  第２外歯車
【図１】
0004149049.tif 000002
【図２】
0004149049.tif 000003
【図３】
0004149049.tif 000004
【図４】
0004149049.tif 000005
【図５】
0004149049.tif 000006